(57)【要約】【課題】ＬＥＤランプの放熱性を高められ、ＬＥＤランプや照明器具の寿命を長期化することができる。【解決手段】アルミニウム等の放熱性に優れる素材で形成される筐体にＬＥＤランプが収容され、アルミニウム等の放熱性に優れる基体に筐体が接触して設けられ、筐体をバネで付勢することにより、筐体と基体の接触箇所で両者を圧接させ、筐体に収容されているＬＥＤランプの発熱に対する確実な放熱経路を形成する照明器具の放熱構造。【選択図】  図１
2004186105.tif 000002
【特許請求の範囲】
【請求項１】
放熱性に優れる素材で形成される筐体にＬＥＤランプが収容され、放熱性に優れる基体に該筐体が接触して設けられ、該筐体を弾性体で付勢することにより、少なくとも該筐体と該基体の１つの接触箇所で該筐体と該基体を圧接させることを特徴とする照明器具の放熱構造。
【請求項２】
前記筐体の側面が前記基体の該筐体側面に対応する面に面接触する箇所を設け、該面接触箇所で前記付勢により該筐体と該基体を圧接させることを特徴とする請求項１記載の照明器具の放熱構造。
【発明の詳細な説明】
【０００１】
【発明の属する技術分野】
本発明は、主として光源としてＬＥＤランプを用いる照明器具の放熱構造に関する。
【０００２】
【従来の技術】
近年、白熱灯や蛍光灯に代わり、光源としてＬＥＤランプを用いる照明器具が提案されているが、ＬＥＤランプの寿命は温度状態によって大きく左右され、高温状態になると寿命が飛躍的に短くなることから、その放熱機能を向上することが極めて重要になる。例えばＬＥＤランプの寿命は、例えば１０℃の温度差で寿命が倍になったり、１２０℃の状態で１０００時間の寿命のＬＥＤランプが６０℃の状態で６４０００時間の寿命になったりする。
【０００３】
そして、ＬＥＤ光源を用いる照明器具の放熱機能の向上に関連する公知技術文献として特許文献１、２がある。特許文献１の照明器具は、所定の指向方向を確保してＬＥＤランプをケース内に配設すると共に、そのケース内にヒートシンク用シリコンゴム等の放熱体を充填して設け、前記ＬＥＤランプが発光部を突出している状態で前記放熱体に埋設されているものである。
【０００４】
また、特許文献２の照明器具は、複数のＬＥＤランプがＬＥＤ基板上に配設され、放熱性に優れる素材で形成された基体内に、前記複数のＬＥＤランプが所望の指向方向を確保した状態で点灯可能に内設され、前記ＬＥＤ基板が前記基体に接触している状態で内設されているものである。
【０００５】
【特許文献１】特開２００１−１５５５３６号公報
【特許文献２】特開２００２−３３００６号公報
【０００６】
【発明が解決しようとする課題】
ところで、上記の如くＬＥＤランプの放熱性を高めて温度上昇を抑制することは、ＬＥＤランプやその照明器具の寿命を長期化するために極めて重要であり、より一層ＬＥＤランプの放熱性を高められる技術が求められている。また。照明器具に於いては、デザインや用途に応じて製品の多様性が強く要求され、各製品に対しては最適な放熱技術を適用することが重要であり、そのため、放熱技術の多様化が望まれている。
【０００７】
本発明は上記課題に鑑み提案するものであって、ＬＥＤランプを光源とする照明器具に於いて、ＬＥＤランプの放熱性を高められ、ＬＥＤランプや照明器具の寿命を長期化することができると共に、放熱技術の多様化を図ることができる放熱構造を提供することを目的とする。
【０００８】
【課題を解決するための手段】
本発明の照明器具の放熱構造は、放熱性に優れる素材で形成される筐体にＬＥＤランプが収容され、放熱性に優れる基体に該筐体が接触して設けられ、該筐体を弾性体で付勢することにより、少なくとも該筐体と該基体の１つの接触箇所で該筐体と該基体を圧接させることを特徴とする。弾性体で付勢して放熱性筐体と放熱性基体の両者を圧接し、筐体に収容されているＬＥＤランプの発熱に対する確実な放熱経路を形成することで、ＬＥＤランプ或いは照明器具の放熱機能を非常に高めることが可能となる。尚、筐体や基体の素材は例えばアルミニウムとするが、ステンレスなど放熱性に優れる素材であれば適宜である。また、
更に、本発明の照明器具の放熱構造は、前記筐体の側面が前記基体の該筐体側面に対応する面に面接触する箇所を設け、該面接触箇所で前記付勢により該筐体と該基体を圧接させることを特徴とする。放熱性筐体と放熱性基体との面接触箇所を付勢により圧接させ、圧接した面接触箇所を介して放熱経路を形成することで、より一層放熱機能を向上することができる。
【０００９】
【発明の実施の形態】
以下では、本発明の放熱構造を有する照明器具について、図に於ける具体的な実施形態に基づき説明する。図１は放熱構造を有する照明器具の実施形態を示す縦断側面図である。
【００１０】
実施形態の照明器具１は、図１に示すように、天井Ｃに埋め込まれて設けられる天井灯であり、紙面垂直方向を長手方向とする略細長箱形の収納部２を有し、収納部２は開口を下方に向けて天井Ｃに埋め込まれ、ボルト３及びナット４で固定され取り付けられている。収納部２の内部には、同様に紙面垂直方向を長手方向とする細長の基体５が内設されており、基体５には、略山形の突起或いは突条５１を挟んで略凹溝形の筐体取付部５２・５２が設けられ、その上面は略弧状の反射板５３になっている。基体５はアルミニウム等の放熱性が高い素材で形成され、収納部２についても同様である。
【００１１】
前記筐体６は紙面垂直方向を長手方向とする略細長箱形であり、底板６１及び略中間位置に架設されている取付板６２を挟んで、一方に取付板６２より下方位置に配線等に用いる開口６３が形成されている側板６４と、他方に開口がない側板６５を有し、アルミニウム等の放熱性が高い素材で形成されている。前記取付板６２及び側板６４、６５に囲まれた略凹溝形の部分はＬＥＤランプ７の収容部分になっており、紙面垂直方向を長手方向とする細長板のＬＥＤ基板８上に、その長手方向に沿って複数のＬＥＤランプ７が並設され、ＬＥＤランプ７はＬＥＤ基板８を介在して取付板６２に取り付けられ、筐体６の開口に向けて設けられている。各ＬＥＤランプ７は図に省略した配線及び回路構造により点灯・消灯するようになっている。
【００１２】
前記ＬＥＤランプ７を収容する筐体６は、それぞれ筐体取付部５２に収容されて、突条５１を挟んで上下に設けられており、各筐体６は開口がない方の側板６５の外側面を突条５１の側面に接触し、図に省略した取付具で筐体取付部５２に固定されている。そして、筐体６の開口６３が形成されている側板６４の外側には、前記側板６４の外側面に略沿って板バネ９が配設されており、板バネ９は筐体６を突条５１の方向へ付勢し、筐体６の側板６５の外側面を突条５１の側面に押圧して圧接している。
【００１３】
上記の如く、放熱性が高い筐体６と基体２の突条５１とを面接触させ、板バネ９の押圧で前記面接触箇所を圧接することにより、ＬＥＤランプ７の発熱を筐体６から前記面接触箇所を介在して基体２に逃がす、確実で且つ放熱効率が高い放熱経路を形成することができる。前記構成により、例として通常は５０℃程度に温度上昇するＬＥＤランプ７或いは筐体６の温度を、約４０℃〜５０℃程度まで抑制することが可能であった。
【００１４】
尚、基体２や筐体６の素材は例えばアルミニウムとすると好適であるが、ステンレス、鉄など放熱性に優れ、基体２や筐体６として所要強度を有する適宜の素材を用いることが可能である。また、上記実施形態の如く、収納部２もアルミニウム等の放熱性が高い素材で形成すると、放熱効率を一層向上することが可能となってより好適である。
【００１５】
また、上記実施形態では筐体６を付勢して押圧するものとして板バネ９を用いたが、板バネ以外のバネやゴムなど他の弾性体で付勢して押圧することも可能である。また、基体２と筐体６の面接触する面の形状は平面形状や曲面形状など適宜であり、更には複数の面で面接触させる構成としてもよい。また、筐体６を基体２へ付勢する方式は押圧以外に引張とすることも可能である。
【００１６】
また、筐体６や基体２の形状やＬＥＤランプ７の個数・配置構成等は本発明の趣旨の範囲内で適宜である。また、上記実施形態では照明器具１として天井灯の場合について説明したが、壁面灯、足下灯、スタンドライトなど適宜の照明器具とすることが可能である。
【００１７】
【発明の効果】
本発明の照明器具の放熱構造を用いることにより、ＬＥＤランプ或いは照明器具の放熱性を非常に高められ、ＬＥＤランプや照明器具の寿命を長期化することができると共に、放熱技術の多様化を図ることができる格別な効果を奏する。また、筐体を押圧するバネ等の弾性体を設置して高度な放熱機能が得られるので、低コスト且つ良好な作業性で、ＬＥＤランプや照明器具の寿命を長期化することができる。
【図面の簡単な説明】
【図１】放熱構造を有する照明器具の実施形態を示す縦断側面図。
【符号の説明】
１  照明器具
２  収納部
５  基体
５１  突条
５２  筐体取付部
５３  反射板
６  筐体
６２  取付板
６４、６５  側板
７  ＬＥＤランプ
８  ＬＥＤ基板
９  板バネ
Ｃ  天井
【図１】
2004186105.tif 000003